(57)【特許請求の範囲】
【請求項１】
アセチレングリコールと、不飽和脂肪酸と、アミノ酸と、アルカリ金属水酸化物と、アミンと、を含む、顔料インク。
【請求項２】
前記不飽和脂肪酸がオレイン酸を含む、請求項１に記載の顔料インク。
【請求項３】
前記アミノ酸がトリメチルグリシン及びジメチルグリシンのうち少なくともいずれかを含む、請求項１又は２に記載の顔料インク。
【請求項４】
前記アルカリ金属水酸化物が水酸化カリウム（ＫＯＨ）、水酸化ナトリウム（ＮａＯＨ）、及び水酸化リチウム（ＬｉＯＨ）からなる群より選択される一種以上を含む、請求項１〜３のいずれか１項に記載の顔料インク。
【請求項５】
前記アミンがトリエタノールアミン及びトリプロパノールアミンのうち少なくともいずれかを含む、請求項１〜４のいずれか１項に記載の顔料インク。
【請求項６】
前記不飽和脂肪酸及び前記アミノ酸のうち少なくともいずれかと、前記アルカリ金属水酸化物及び前記アミンのうち少なくともいずれかと、からなる酸アルカリ塩を含む、請求項１〜５のいずれか１項に記載の顔料インク。
【請求項７】
前記酸アルカリ塩が、オレイン酸カリウム、オレイン酸トリプロパノールアミン、オレイン酸トリエタノールアミン、及びアミノ酸カリウムからなる群より選択される一種以上である、請求項６に記載の顔料インク。
【請求項８】
被記録媒体に対して０．５ｍ／ｓ以上の相対速度で移動しながら請求項１〜７のいずれか１項に記載の顔料インクを吐出するインクジェットヘッドを備えた、インクジェット記録装置。
【請求項９】
被記録媒体に対して０．５ｍ／ｓ以上の相対速度で移動するインクジェットヘッドから請求項１〜７のいずれか１項に記載の顔料インクを吐出する吐出工程を含む、インクジェット記録方法。
【発明の詳細な説明】
【技術分野】
【０００１】
本発明は、顔料インク、インクジェット記録装置、及びインクジェット記録方法に関する。
【背景技術】
【０００２】
従来、インクジェット記録用インクには、画像形成の高速化及び高品質化が強く求められている。
【０００３】
例えば、特許文献１には、高速出力においてもインク吐出安定性を確保し、インクの吐出時におけるサテライトの発生を抑制して画像の劣化を防止する目的で、吐出されるインクの静的表面張力と吐出によるインク液滴形成時のインクの動的表面張力（微小時間での表面張力）とを所定範囲にする、インクジェット画像記録方法が開示されている。
【先行技術文献】
【特許文献】
【０００４】
【特許文献１】特開２００８−１００３号公報
【発明の概要】
【発明が解決しようとする課題】
【０００５】
しかしながら、上記特許文献１に開示された記録方法を実施した場合、サテライトが発生する場合があるという問題が生じる。そのため、依然として、安定して画像形成の高速化及び高品質化を得ることのできるインク、インクジェット記録装置、及びインクジェット記録方法が求められている。
【０００６】
そこで、本発明は、サテライトの発生を抑制し、高速で高品質の画像を形成可能な顔料インク、並びにこれを用いたインクジェット記録装置及びインクジェット記録方法を提供することを目的の一つとする。
【課題を解決するための手段】
【０００７】
上記課題を解決するため、本発明者らは、まずサテライトが発生するメカニズムについて詳細に検討した。
【０００８】
シャボン玉は、界面活性剤を水に溶かして水の表面張力を低下させることにより、水が膜になりやすくなり、結果として大きなシャボン玉ができやすくなる。インクジェット方式で吐出されるインクの尾引き（糸引き）も同様のメカニズムであると推測される。インクの表面張力が低い場合、吐出されるインクの尾引きが長くなり、この長い尾引きがインクの飛翔中に主滴とサテライト滴とからなる２つ以上の液滴に分離する。そして、これらが紙などの被記録媒体に付着する結果、画像が乱れることとなる。このように、本発明者らは、インクの表面張力が低い場合にサテライトが発生しやすくなるという関係があることを知見した。
【０００９】
続いて本発明者らは、上記特許文献１に開示された記録方法においてサテライトが発生する要因を検討した。
【００１０】
当該記録方法においては、サテライトの発生を抑制するためにインクの表面張力を高くしている。このこと自体は、上記の知見のとおり、サテライトの発生を抑制するための一つの手段である。しかし、インクの表面張力を高くすると、インクの被記録媒体への浸透性が悪くなる。浸透性が悪くなると、被記録媒体上でインクが濡れている状態が維持されるため、記録装置の媒体搬送ローラー（紙搬送ローラー）にインクが付着したり、ブリード（滲み）などの画像不良が生じたり、記録物が手に付着しやすくなったりする。
【００１１】
このように、上記特許文献１に開示された記録方法においてサテライトが発生する要因は、単純にインクの表面張力を高くしているだけでそれに伴う問題に対しては何ら解決手段が示されていない点にあることを知見した。
【００１２】
そこで、続いて本発明者らは、インクの表面張力を高くしたことにより生じる問題の解決手段を検討した。
【００１３】
サテライトが発生する要因として、インクの表面張力以外に、例えばインクの粘度が挙げられる。シャボン液に砂糖を添加し液体粘度（膜強度）を上げると大きなシャボン玉ができるようになる。また、はちみつや接着剤のように粘度が高い液体は、液体の動きが悪くいつまでも長く伸びるようになる。インクジェット方式で吐出されるインクの尾引きも同様のメカニズムであると推測される。インクの粘度が高い場合、インクの表面張力が低い場合と同様に、インク滴の長い尾引きがインクの飛翔中に２つ以上の液滴に分離する結果、画像が乱れることとなる。
【００１４】
このように、本発明者らは、インクの粘度が高い場合にもサテライトが発生しやすくなるという関係があることを知見した。
【００１５】
上記の知見にかんがみれば、インクの粘度を下げることが考えられる。しかし、サテライトの発生を抑制するためにインクを低粘度化することは、優れた機能を有するインクになるほど各種の添加剤を多量に含むため一層困難となる。とりわけ、高画質化の目的でインク滴を小さくしたため色材濃度が高くなり相対的に水分量が低下する場合、あるいは速乾性を良好にしたりカールを抑制したりする目的で水分量を抑制する場合に、インクの粘度は高くなってしまうからである。
【００１６】
このように、本発明者らは、単純にインクに優れた機能を付与しようとすると、各種の添加剤を多く加えるため、インクの粘度が高くなってしまい、これによりサテライトが発生するため、サテライトの発生を抑制することは困難であることを知見した。
【００１７】
また、サテライトが発生しやすい要因として、高速での記録が挙げられる。高速での記録とは、インクジェットヘッド及び被記録媒体のうち少なくとも一方が移動しながら被記録媒体にインクを吐出する際の、移動の相対速度が大きい記録（相対速度０．５ｍ／ｓ以上）を意味する。高速での記録時に、吐出されるインクにサテライトが発生すると、主滴とサテライト滴との間で着弾（付着）位置のずれが大きくなり、サテライトが記録物において目立つようになる。低速での記録、即ち移動の相対速度が小さい記録（相対速度０．５ｍ／ｓ未満）においては、サテライトが発生しても主滴及びサテライト滴の着弾位置は殆どずれることがない。そのため、低速での記録においてサテライトは特に問題とならない（記録物においてサテライトの影響が目立たない。）。だが、高速での記録における吐出されるインクの着弾精度の低下、特にサテライトの発生は、記録物において非常に目立つため大きな問題である。
【００１８】
このように、本発明者らは、従来のインクを用いた場合、特に高速での記録においてサテライトが発生しやすいため、着弾精度が低下し、画質の劣化は避けられないことを知見した。
【００１９】
以上の知見に基づき、本発明者らがさらに検討を行った結果、界面活性剤及びｐＨ調整剤として所定の成分を含有させた顔料インクにより、上記の問題点を解決することができることを見出し、本発明を完成した。
【００２０】
即ち、本発明は下記のとおりである。
［１］
アセチレングリコールと、不飽和脂肪酸と、アミノ酸と、アルカリ金属水酸化物と、アミンと、を含む、顔料インク。
［２］
前記不飽和脂肪酸がオレイン酸を含む、［１］に記載の顔料インク。
［３］
前記アミノ酸がトリメチルグリシン及びジメチルグリシンのうち少なくともいずれかを含む、［１］又は［２］に記載の顔料インク。
［４］
前記アルカリ金属水酸化物が水酸化カリウム（ＫＯＨ）、水酸化ナトリウム（ＮａＯＨ）、及び水酸化リチウム（ＬｉＯＨ）からなる群より選択される一種以上を含む、［１］〜［３］のいずれかに記載の顔料インク。
［５］
前記アミンがトリエタノールアミン及びトリプロパノールアミンのうち少なくともいずれかを含む、［１］〜［４］のいずれかに記載の顔料インク。
［６］
前記不飽和脂肪酸及び前記アミノ酸のうち少なくともいずれかと、前記アルカリ金属水酸化物及び前記アミンのうち少なくともいずれかと、からなる酸アルカリ塩を含む、［１］〜［５］のいずれかに記載の顔料インク。
［７］
前記酸アルカリ塩が、オレイン酸カリウム、オレイン酸トリプロパノールアミン、オレイン酸トリエタノールアミン、及びアミノ酸カリウムからなる群より選択される一種以上である、［６］に記載の顔料インク。
［８］
被記録媒体に対して０．５ｍ／ｓ以上の相対速度で移動しながら［１］〜［７］のいずれかに記載の顔料インクを吐出するインクジェットヘッドを備えた、インクジェット記録装置。
［９］
被記録媒体に対して０．５ｍ／ｓ以上の相対速度で移動するインクジェットヘッドから［１］〜［７］のいずれかに記載の顔料インクを吐出する吐出工程を含む、インクジェット記録方法。
【図面の簡単な説明】
【００２１】
【図１】本発明の実施形態におけるプリンターの構成を示す斜視図である。
【図２】本発明の実施形態におけるインクジェットヘッドに設けられたノズルの配列を示す概略図である。
【図３】本発明の実施形態におけるインクジェットヘッドの内部構成を示す部分断面図である。
【発明を実施するための形態】
【００２２】
以下、本発明を実施するための形態について詳細に説明する。なお、本発明は、以下の実施形態に制限されるものではなく、その要旨の範囲内で種々変形して実施することができる。
【００２３】
本明細書において、「吐出安定性」とは、ノズルの目詰まりがなく常に安定したインクの液滴をノズルから吐出させる性質をいう。「アタック性」とは、記録装置における記録ヘッドやインク流路などを構成する材料に、溶解、膨張、割れ、又は表面の荒れなどが生じる現象をいう。
【００２４】
［顔料インク］
本発明の一実施形態に係る顔料インクは、アセチレングリコール及び不飽和脂肪酸を含むとともに、アミノ酸、アミン、及びアルカリ金属水酸化物を含む。
このように、本実施形態の顔料インクが上記５種類の成分を必須に含む意義について、以下説明する。
【００２５】
アセチレングリコールは、起泡しにくく親和性（濡れ性）に優れた界面活性剤である。その一方で、起泡しにくいアセチレングリコールを用いても、吐出されるインクの尾引きは、サテライトが発生しないほど短くはならないという不具合がある。
【００２６】
不飽和脂肪酸は、第１に、アセチレングリコールにおける上記の不具合を解消する目的で用いられる。不飽和脂肪酸は、分子構造上、アセチレングリコールと顕著に相違する。界面活性剤としてアセチレングリコール及び不飽和脂肪酸を併用すると、構造上の顕著な相違に起因する立体障害によって、吐出されるインク表面において界面活性剤分子間の配列が乱れるため、インクの膜強度が低下すると推測される。インクの尾引きはこの膜強度が大きいため生じることから、結果的に吐出されるインクの糸引きが短くなり、サテライトを大幅に抑制することができると推測される。
【００２７】
不飽和脂肪酸は、第２に、アミノ酸、アミン、及びアルカリ金属水酸化物と共にｐＨ調整目的で用いられる。不飽和脂肪酸は酸化されやすく不安定な成分である。そこで、この不安定な不飽和脂肪酸を、当該不飽和脂肪酸自身も含めた４種類の酸アルカリによるｐＨ緩衝効果を利用することで、長期に亘ってサテライトの発生を抑制可能な点で顔料インクの長期安定性を良好なものとする。
【００２８】
アミノ酸、アミン、及びアルカリ金属水酸化物は、上記のとおり、上述の不飽和脂肪酸と共に、酸アルカリとしてｐＨ緩衝効果を発揮する成分である。
【００２９】
以下、当該顔料インクに含まれるか、又は所望により含まれ得る成分について、説明する。
【００３０】
〔顔料〕
本実施形態の顔料インクは、色材として顔料を含む。当該顔料として、以下に限定されないが、例えば、Ｃ．Ｉ．ピグメントイエロー  １，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド  １，３，５，８，９，１６，１７，１９，２２，３８，５７：１，９０，１１２，１２２，１２３，１２７、１４６，１８４、２０２、２０９、Ｃ．Ｉ．ピグメントバイオレット  １，３，５：１，１６，１９，２３，３８、Ｃ．Ｉ．ピグメントブルー  １，２，１５，１５：１，１５：２，１５：３，１５：４，１６、Ｃ．Ｉ．ピグメントブラック  １，７等を用いることができる。
【００３１】
これらの顔料は、顔料表面に分散性付与基（親水性官能基及びその塩のうち少なくともいずれか）を直接的又はアルキル基、アルキルエーテル基、アリール基等を介して間接的に結合させる。そして、分散剤なしに水性媒体中に分散又は溶解する自己分散型顔料として加工され、水性媒体中に分散させた顔料分散液として、あるいは、分散剤によって水性媒体中に分散させた顔料分散液として、顔料インクに配合させることが好ましい。分散剤の例としては、スチレン−アクリル酸共重合体樹脂などが挙げられ、その分子量が１０，０００〜１５０，０００程度のものが、顔料を安定的に分散させる点で好ましい。
【００３２】
ブラック色の自己分散型顔料の市販品として、例えば、Ｃａｂｏｔ社より異なる２種類の製品として販売されている。ＣＡＢ−Ｏ−ＪＥＴ２００（スルホン化カーボンブラック）、ＣＡＢ−Ｏ−ＪＥＴ３００（カルボキシル化カーボンブラック）（以上、キャボット社（Cabot Corporation）製商品名）、Ｂｏｎｊｅｔ  Ｂｌａｃｋ  ＣＷ−１（オリエント化学工業社（ORIENT CHEMICAL INDUSTRIES CO., LTD.）製商品名）等が挙げられる。
【００３３】
また、これらの顔料は、インクの保存安定性を良好なものとし、かつ、ノズルの目詰まりを効果的に防止するため、その平均粒径が５０〜２５０ｎｍの範囲であることが好ましい。ここで、本明細書において、平均粒径とは、動的光散乱法による球換算５０％平均粒径（ｄ５０）を意味し、以下のようにして得られる値である。
分散媒中の粒子に光を照射し、この分散媒の前方・側方・後方に配置された検出器によって、発生する回折散乱光を測定する。得られた測定値を利用して、本来は不定形である粒子を、球形であると仮定し、当該粒子の体積と等しい球に換算された粒子集団の全体積を１００％として累積カーブを求め、その際の累積値が５０％となる点を、「動的光散乱法による球換算５０％平均粒径（ｄ５０）」とする。上記回折散乱光の測定装置としては、例えば、レーザー回折散乱式粒度分布測定器  ＬＭＳ−２０００ｅ（セイシン企業社（SEISHIN ENTERPRISE Co.,Ltd.）製商品名）などが挙げられる。
【００３４】
さらに、これらの顔料は、本実施形態の顔料インクの総質量（１００質量％）に対して、２〜１５質量％の範囲で含有されることが好ましい。含有量が２質量％以上であると、印字濃度が十分なものとなって発色性に優れる。また、含有量が１５質量％以下であると、ノズルが目詰まりすることなく、吐出安定性にも優れる。
【００３５】
〔アセチレングリコール〕
本実施形態の顔料インクは、アセチレングリコールを含む。アセチレングリコールは、アセチレン基を中央に持ち、左右対称の構造をした非イオン系界面活性剤で、泡立ちにくい濡れ剤として様々な分野の水系材料に応用されている。アセチレングリコールは、濡れ、消泡、及び分散といった機能に優れている。分子構造としても非常に安定したグリコールで、分子量も小さく、水の表面張力を下げる効果があるため、インクの被記録媒体への浸透性や滲みを適度に制御できる。
【００３６】
アセチレングリコールの具体例としては、２，４，７，９−テトラメチル−５−デシン−４，７−ジオール、３，６−ジメチル−４−オクチン−３，６−ジオール、３，５−ジメチル−１−ヘキシン−３−オールなどが挙げられる。
【００３７】
アセチレングリコールの市販品としては、例えば、サーフィノール  １０４（シリーズ）、４２０、４４０、４６５、４８５（以上、エアープロダクツ社（Air Products and Chemicals. Inc.）商品名）、オルフィン  ＳＴＧ、ＰＤ−００１、ＳＰＣ、Ｅ１００４、Ｅ１０１０（日信化学工業社（以上、Nissin Chemical Industry Co., Ltd.）製商品名）、アセチレノールＥ００、Ｅ４０、Ｅ１００、ＬＨ（以上、川研ファインケミカル社（Kawaken Fine Chemicals Co., Ltd.）製商品名）等が挙げられる。
【００３８】
アセチレングリコールは、１種単独で用いてもよく、２種以上を組み合わせて用いてもよい。
【００３９】
アセチレングリコールの含有量は、顔料インクの総質量（１００質量％）に対し、０．１〜３．０質量％が好ましく、０．３〜２．０質量％がより好ましい。含有量が上記範囲内であると、光沢感及び浸透性が良好なものとなる。
【００４０】
〔不飽和脂肪酸〕
本実施形態の顔料インクは、不飽和脂肪酸を含む。以下、当該不飽和脂肪酸が複数の機能を併せ持つ点について説明する。
【００４１】
まず、本実施形態の顔料インクにおいて、上記アセチレングリコールと不飽和脂肪酸とを併用することで、以下の効果が得られることを見出した。本実施形態は、アセチレングリコール系と不飽和脂肪酸系の界面活性剤の両方を含有する。アセチレングリコールは、３次元的な立体構造を有する分子量の低い界面活性剤である。そのため、元々起泡が生じにくく、濡れ性に優れた界面活性剤である。オレイン酸は不飽和脂肪酸の直鎖状の界面活性剤であり、石鹸にも用いられる起泡が生じやすい界面活性剤である。ところがこの２つを組み合わせると、それぞれの単体よりも起泡が大幅に生じにくくなることを見出した。
【００４２】
そのため、吐出されるインクの尾引きが短くなり、サテライトが減少する。その理由としては、アセチレングリコールに、アセチレングリコールとは構造の大きく異なる不飽和脂肪酸系界面活性剤との組み合わせを用いることで、吐出されるインク表面への界面活性剤分子の配列を立体障害により乱し、膜強度を低下させるものと推測される。
【００４３】
次に、本実施形態の顔料インクは、ｐＨ調整剤として、この不飽和脂肪酸、並びに後述のアミノ酸、アルカリ金属水酸化物、及びアミンという４種類の酸アルカリを含む。一般的には酸とアルカリの２種類を含むとｐＨ緩衝効果を持つものが多く知られているが、本実施形態では各々固有の機能を有する４種類のｐＨ調整剤を含む。ｐＨの調整範囲は、インクジェット記録装置の構成材料に対するインクのアタック性を有効に抑制し、目詰まり回復性を確保するため、６〜１０の範囲が好ましい。
【００４４】
上記４種のｐＨ調整剤の一つである不飽和脂肪酸は、酸としてのｐＨ調整機能の他に、界面活性剤、潤滑剤、及び浸透剤としての機能も有する。不飽和脂肪酸としては上記のようにオレイン酸が好ましい。
【００４５】
本実施形態における４種のｐＨ調整剤を組み合わせると、長期安定性のあるｐＨ緩衝機能を有しながら、それ以外の上記機能をそれぞれ十分に発揮でき、相乗効果を発揮できることを見出した。
【００４６】
不飽和脂肪酸の中でも２重結合を１つ有する不飽和脂肪酸が好ましい。モノ不飽和脂肪酸としては、以下に限定されないが、例えばクロトン酸、ミリストレイン酸、パルミトレイン酸、オレイン酸、エライジン酸、バクセン酸、ガドレイン酸、エイコセン酸、エルカ酸、及びネルボン酸が挙げられる。炭素２重結合が２つ以上ある場合、炭素２重結合に挟まれたメチレン水素が引き抜かれて容易に酸化されるからである。リノール酸やリノレイン酸がその場合に当てはまる。炭素２重結合が１つの不飽和脂肪酸は、メチレン水素がないため、酸化しづらい点で有利である。
また、顔料インクとしては液体であることが好ましい。さらに、酸化に対し安定な飽和脂肪酸は常温で固体のものが多くインク中への添加には向かないものが多い。これらの特性を全て満足するものとしてオレイン酸が挙げられる。
以上のことから、上記不飽和脂肪酸はオレイン酸であることが好ましい。
【００４７】
不飽和脂肪酸は精製されたものであってもよく、オレイン酸を主成分とするオリーブ油のような植物油であってもよい。
【００４８】
不飽和脂肪酸は、１種単独で用いてもよく、２種以上を組み合わせて用いてもよい。
【００４９】
不飽和脂肪酸の含有量は、顔料インクの総質量（１００質量％）に対し、０．０５〜３質量％が好ましく、０．１〜１質量％がより好ましい。含有量が上記範囲内であると、優れた界面活性剤とｐＨ調整剤（酸性側）という２つの機能バランスに優れる。
【００５０】
〔アミノ酸〕
本実施形態の顔料インクは、上記のとおり、アミノ酸を含む。
上記４種のｐＨ調整剤の一つであるアミノ酸はアミノ基とカルボキシル基の両方の官能基を持つ優れたｐＨ調整機能の他に、保湿剤や被記録媒体のカール抑制剤としての機能を有する。
【００５１】
アミノ酸としては化学的に安定な３級アミノ酸や４級アミノ酸が好ましい。その中でも、分子量の小さいことから、ジメチルグリシン及びトリメチルグリシンのうち少なくともいずれかが好ましい。
【００５２】
アミノ酸は、１種単独で用いてもよく、２種以上を組み合わせて用いてもよい。
【００５３】
アミノ酸の含有量は、顔料インクの総質量（１００質量％）に対し、１〜３０質量％が好ましく、４〜２０質量％がより好ましい。上記含有量の範囲内であると、保湿剤や被記録媒体のカール抑制剤としての機能を有する上、酸とアルカリの両性電解質としての優れたｐＨ調整機能も有する。
【００５４】
〔アミン〕
本実施形態の顔料インクは、上記のとおり、アミンを含む。
上記４種のｐＨ調整剤の一つであるアミンは、シャンプーや化粧品など人体に易しい弱アルカリ調整剤としての機能を有する。また、アミンを両親媒性とすることでインクの長期安定性に優れるため、上記アミンの中でもアルカノールアミンが好ましい。さらに、アルカノールアミンのうち沸点の高いものを用いることで目詰まりを防ぐことができるため、トリアルカノールアミンがより好ましく、中でもトリプロパノールアミン及びトリエタノールアミンのうち少なくともいずれかがさらに好ましい。
【００５５】
なお、アミンは、不飽和脂肪酸と沈澱を形成しやすい欠点があり、アルカリとしてアミン１種類だと安定性に劣る。そこで、アルカリとして、アミンの他に後述のアルカリ金属水酸化物なども含まれる。
【００５６】
アミンは、１種単独で用いてもよく、２種以上を組み合わせて用いてもよい。
【００５７】
アミンの含有量は、顔料インクの総質量（１００質量％）に対し、０．０５〜２質量％が好ましく、０．１〜１質量％がより好ましい。上記含有量の範囲内であると、アミン及びアルカリ金属水酸化物がアルカリ成分としての相乗効果に優れる。
【００５８】
〔アルカリ金属水酸化物〕
本実施形態の顔料インクは、上記のとおり、アルカリ金属水酸化物を含む。
上記４種のｐＨ調整剤の一つであるアルカリ金属水酸化物は、優れたアルカリであるものの、金属イオンが有機溶媒や顔料に錯体のように捕獲されやすく長期安定性に劣る。アルカリ金属イオンは、アミンよりも不飽和脂肪酸と沈澱を起こしにくい性質がある。そのため、アルカリとして、アミンとアルカリ金属水酸化物とを併用することで、両者の欠点を互いに補い、特長のみを発揮させることができる。
【００５９】
アルカリ金属水酸化物としては、水酸化ナトリウム（ＮａＯＨ）、水酸化カリウム（ＫＯＨ）、及び水酸化リチウム（ＬｉＯＨ）からなる群より選択される一種以上が好ましく、ＮａＯＨ及びＫＯＨのうち少なくともいずれかがより好ましい。
【００６０】
アルカリ金属水酸化物は、１種単独で用いてもよく、２種以上を組み合わせて用いてもよい。
【００６１】
アルカリ金属水酸化物の含有量は、顔料インクの総質量（１００質量％）に対し、０．０１〜１質量％が好ましく、０．０３〜０．５質量％がより好ましい。上記含有量の範囲内であると、アミン及びアルカリ金属水酸化物のアルカリ成分としての相乗効果に優れる。
【００６２】
ここで、上記の不飽和脂肪酸、アミノ酸、アルカリ金属水酸化物、及びアミンは、それぞれ単独の物質としてインクに含まれていてもよいし、酸アルカリ塩として含まれていてもよい。特に、顔料インクが不飽和脂肪酸及びアミノ酸のうち少なくともいずれかと、アルカリ金属水酸化物及びアミンのうち少なくともいずれかと、からなる酸アルカリ塩を含む場合、上記のｐＨ緩衝効果が一層発揮されるため、好ましいといえる。この酸アルカリ塩として、以下に限定されないが、例えば、オレイン酸カリウム、オレイン酸ナトリウム、オレイン酸リチウム、オレイン酸トリプロパノールアミン、オレイン酸トリエタノールアミン、アミノ酸カリウム、アミノ酸ナトリウム、及びアミノ酸リチウム等が挙げられる。
【００６３】
これらの中でも、インクへの溶解性及びｐＨ調整機能に優れ、かつ、顔料や他のインク材料に悪影響を与えないため、オレイン酸カリウム、オレイン酸トリプロパノールアミン、オレイン酸トリエタノールアミン、及びアミノ酸カリウムからなる群より選択される一種以上が好ましい。
【００６４】
〔その他の添加剤〕
本実施形態の顔料インクは、上記の添加剤以外の添加剤を含んでいてもよい。そのような添加剤の例を以下に示す。
【００６５】
（湿潤剤）
インクジェットヘッドのノズル近傍での目詰まりを防止する目的で、本実施形態の顔料インクは、湿潤効果のある水溶性有機溶剤を添加することが好ましい。
【００６６】
湿潤剤として、例えば、グリセリン、１，２，６−ヘキサントリオール、トリメチロールプロパン、ペンタメチレングリコール、トリメチレングリコール、エチレングリコール、プロピレングリコール、ジエチレングリコール、トリエチレングリコール、テトラエチレングリコール、ペンタエチレングリコール、数平均分子量２，０００以下のポリエチレングリコール、ジプロピレングリコール、トリプロピレングリコール、イソブチレングリコール、２−ブテン−１，４−ジオール、２−エチル−１，３−ヘキサンジオール、２−メチル−２，４−ペンタンジオール、メソエリスリトール、ペンタエリスリトール等の多価アルコール類、並びにグルコース、マンノース、フルクトース、リボース、キシロース、アラビノース、ガラクトース、アルドン酸、グルシトール（ソルビット）、マルトース、セロビオース、ラクトース、スクロース、トレハロース、及びマルトトリオース等の糖類、糖アルコール類、ヒアルロン酸類、及び尿素類等のいわゆる固体湿潤剤、並びにエタノール、メタノール、ブタノール、プロパノール、及びイソプロパノール等の炭素数１〜４のアルキルアルコール類、並びに２−ピロリドン、Ｎ−メチル−２−ピロリドン、１，３−ジメチル−２−イミダゾリジノン、ホルムアミド、アセトアミド、ジメチルスルホキシド、ソルビット、ソルビタン、アセチン、ジアセチン、トリアセチン、及びスルホラン等が挙げられる。
【００６７】
湿潤剤は、１種単独で用いてもよく、２種以上を組み合わせて用いてもよい。
【００６８】
湿潤剤の含有量は、顔料インクの総質量（１００質量％）に対し、１０〜５０質量％含まれることが好ましい。含有量が上記範囲内であると、顔料インクの適正な物性値（粘度等）を確保し、記録の品質や信頼性を確保することができる。
【００６９】
（水）
また、本実施形態の顔料インクに含有される水は主溶媒であり、イオン交換水、限外濾過水、逆浸透水、蒸留水等の純水又は超純水を用いることが好ましい。特に紫外線照射又は過酸化水素添加等により滅菌処理した水を用いることが、カビやバクテリアの発生を防止して顔料インクの長期保存を可能にする点で好ましい。
【００７０】
（酸化防止剤）
本実施形態の顔料インクに含まれ得る酸化防止剤（紫外線吸収剤）としては、例えば、アロハネート、メチルアロハネートなどのアロハネート類、ビウレット、ジメチルビウレット、テトラメチルビウレットなどのビウレット類など、Ｌ−アスコルビン酸及びその塩、並びにランタニドの酸化物などが挙げられる。これらの市販品としては、例えば、ノバルティス（Novartis International AG）社製のＴｉｎｕｖｉｎ  ３２８、９００、１１３０、３８４、２９２、１２３、１４４、６２２、７７０、２９２、Ｉｒｇａｃｏｒ  ２５２、１５３、Ｉｒｇａｎｏｘ  １０１０、１０７６、１０３５、ＭＤ１０２４などが用いられる。
【００７１】
酸化防止剤は、１種単独で用いてもよく、２種以上を組み合わせて用いてもよい。
【００７２】
酸化防止剤の含有量は、顔料インクの総質量（１００質量％）に対し、０．５質量％以下が好ましい。上記含有量の範囲内であると、インクの特性を悪化させることなく酸化を効果的に防止することができる。
【００７３】
（防腐剤・防黴剤）
本実施形態の顔料インクに含まれ得る防腐剤・防黴剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン、ジクロロフェン、ヘキサクロロフェン、ｐ−ヒドロキシ安息香酸エステル、エチレンジアミン四酢酸（ＥＤＴＡ）、デヒドロ酢酸ナトリウム、３，４−イソチアゾリン−３−オン、及び４，４−ジメチルオキサゾリジンが挙げられる。これらの市販品としては、例えば、プロキセルＣＲＬ、プロキセルＢＤＮ、プロキセルＧＸＬ、プロキセルＸＬ−２（１，２−ベンチアゾリン−３−オン）、プロキセルＴＮ（いずれもAvecia社製商品名）等が挙げられる。
【００７４】
防腐剤・防黴剤は、１種単独で用いてもよく、２種以上を組み合わせて用いてもよい。
【００７５】
防腐剤・防黴剤の含有量は、顔料インクの総質量（１００質量％）に対し、０．５質量％以下が好ましい。上記含有量の範囲内であると、インクの特性を悪化させることなく防腐効果及び防黴効果を良好なものとすることができる。
【００７６】
（浸透促進剤）
水性溶媒が被記録媒体に浸透することを促進する目的で、本実施形態の顔料インクは、浸透促進剤をさらに含むことが好ましい。水性溶媒が被記録媒体に素早く浸透することによって、画像の滲みが少ない記録物を得ることができる。
【００７７】
このような浸透剤としては、多価アルコールのアルキルエーテル（グリコールエーテル類ともいう）及び１，２−アルキルジオールのうち少なくともいずれかが好ましく用いられる。多価アルコールのアルキルエーテルとしては、例えばエチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、エチレングリコールモノプロピルエーテル、エチレングリコールモノイソプロピルエーテル、ジエチレングリコールモノイソプロピルエーテル、エチレングリコールモノブチルエーテル、ジエチレングリコールモノブチルエーテル、トリエチレングリコールモノブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノプロピルエーテル、プロピレングリコールモノイソプロピルエーテル、ジプロピレングリコールモノメチルエーテル、ジプロピレングリコールモノエチルエーテル、ジプロピレングリコールモノプロピルエーテル、ジプロピレングリコールモノイソプロピルエーテル、プロピレングリコールモノブチルエーテル、及びジプロピレングリコールモノブチルエーテル等が挙げられる。１，２−アルキルジオールとしては、例えば１，２−ペンタンジオール、及び１，２−ヘキサンジオールなどが挙げられる。これらの他に、１，３−プロパンジオール、１，４−ブタンジオール、１，５−ペンタンジオール、１，６−ヘキサンジオール、１，７−ヘプタンジオール、及び１，８−オクタンジオール等の直鎖炭化水素のジオール類を挙げることができる。
【００７８】
浸透剤は、１種単独で用いてもよく、２種以上を組み合わせて用いてもよい。
【００７９】
浸透剤の含有量は、顔料インクの総質量（１００質量％）に対し、３〜２０質量％が好ましい。上記含有量の範囲内であると、顔料インクの被記録媒体への浸透性を良好にすることができ、顔料インクを用いて記録した画像に滲みが発生することを防止でき、かつ、顔料インクの粘度があまり高くならないようにすることができる。
【００８０】
このように、本実施形態によれば、サテライトの発生を抑制し、高速で高品質の画像を形成可能な顔料インクを提供することができる。具体的には、本実施形態によれば、界面活性剤としてアセチレングリコール及び不飽和脂肪酸を組み合わせるとともに、これらを用いた場合の不具合を解消するためにｐＨ調製剤として上記不飽和脂肪酸自身、アミノ酸、アミン、及びアルカリ金属水酸化物を組み合わせたインク組成により、高速で記録してもインク吐出時におけるサテライトの発生を抑制可能であって長期安定性に優れた顔料インクを提供することができる。
【００８１】
［インクジェット記録装置］
以下、本発明の一実施形態に係るインクジェット記録装置について、図を参照して説明する。なお、以下の説明に用いる各図面では、各部材を認識可能な大きさとするため、各部材の縮尺を適宜変更している。本実施形態では、本実施形態に係るインクジェット記録装置として、インクジェットプリンター（以下、単に「プリンター」という。）を例示する。
【００８２】
図１は、本実施形態におけるプリンター１の構成を示す斜視図である。なお、このプリンター１は、シリアルプリンターを表している。
図１に示すように、プリンター１は、インクジェットヘッド２を搭載すると共にインクカートリッジ３を着脱可能に装着するキャリッジ４と、インクジェットヘッド２の下方に配設され被記録媒体６が搬送されるプラテン５と、キャリッジ４を被記録媒体６の媒体幅方向に移動させるキャリッジ移動機構７と、被記録媒体６を媒体送り方向に搬送する媒体送り機構８と、を有するものである。加えて、プリンター１は、当該プリンター１全体の動作を制御する制御装置ＣＯＮＴを有している。なお、上記媒体幅方向とは、主走査方向（ヘッド走査方向）である。上記媒体送り方向とは、副走査方向（主走査方向に直交する方向）である。
【００８３】
インクカートリッジ３は、本実施形態のようにキャリッジ４に装着するものに限らず、これに替えて例えば、プリンター１の筐体側に装着しインク供給チューブを介してインクジェットヘッド２に供給するタイプのものであってもよい。インクカートリッジ３は、例えばイエロー（Ｙ）、マゼンタ（Ｍ）、シアン（Ｃ）、及びブラック（Ｂｋ）等、互いに異なる色のインクが収容されたものである。
【００８４】
キャリッジ４は、主走査方向に架設された支持部材であるガイドロッド９に支持された状態で取り付けられたものである。また、キャリッジ４は、キャリッジ移動機構７によりガイドロッド９に沿って主走査方向に移動するものである。
【００８５】
リニアエンコーダ１０は、キャリッジ４の主走査方向上における位置を信号で検出するものである。この検出された信号は、位置情報として制御装置ＣＯＮＴに送信されるようになっている。制御装置ＣＯＮＴは、このリニアエンコーダ１０からの位置情報に基づいてインクジェットヘッド２の走査位置を認識し、インクジェットヘッド２による記録動作（吐出動作）などを制御するようになっている。また、制御装置ＣＯＮＴは、キャリッジ４の移動速度を可変制御可能な構成となっている。
【００８６】
図２は、本実施形態におけるインクジェットヘッド２に設けられたノズル１７の配列を示す概略図である。
図２に示すように、インクジェットヘッド２は、インクを吐出する複数のノズル１７が設けられたノズル形成面２１Ａを有する。インクの吐出面でもあるノズル形成面２１Ａには、複数のノズル１７ごとにノズル列１６が形成されている。各ノズル列１６においては、例えば異なる色のインクを吐出可能になっている。本実施形態ではインクの色に対応して４列、即ちノズル列（ブラック）１６（Ｂｋ）、ノズル列（マゼンタ）１６（Ｍ）、ノズル列（シアン）１６（Ｃ）、及びノズル列（イエロー）１６（Ｙ）が設けられている。ノズル列１６の各々は、例えば１８０個のノズル１７によって構成されている。
【００８７】
図３は、本実施形態におけるインクジェットヘッド２の内部構成を示す部分断面図である。
図３に示すように、インクジェットヘッド２は、ヘッド本体１８と、ヘッド本体１８に接続された流路形成ユニット２２と、を備えている。流路形成ユニット２２は、振動板１９と、流路基板２０と、ノズル基板２１と、を備えると共に、共通インク室２９と、インク供給口３０と、圧力室３１と、を形成する。さらに、流路形成ユニット２２は、ダイヤフラム部として機能する島部３２と、共通インク室２９内の圧力変動を吸収するコンプライアンス部３３と、を備える。ヘッド本体１８には、固定部材２６と共に駆動ユニット２４を収容する収容空間２３と、インクを流路形成ユニット２２に案内する内部流路２８と、が形成される。
【００８８】
上記構成、即ちピエゾ式のインクジェットヘッド２によれば、ケーブル２７を介して駆動ユニット２４に駆動信号が入力されると、圧電素子２５が伸縮する。これにより、振動板１９が圧力室３１に接近する方向及び離れる方向に変形（移動）する。このため、圧力室３１の容積が変化し、インクを収容した圧力室３１の圧力が変動する。この圧力の変動によって、ノズル１７から、インクが吐出される。
【００８９】
図１に戻り、インクジェットヘッド２の移動範囲のうちプラテン５の外側の領域には、インクジェットヘッド２の走査起点となるホームポジションが設定されている。このホームポジションには、メンテナンスユニット１１が設けられている。メンテナンスユニット１１は、印字動作以外でインクジェットヘッド２をキャップ部材１２でキャッピングしてインクの蒸発を抑制する保湿動作と、インクジェットヘッド２の各ノズル１７からインクをキャップ部材１２に予備吐出させることで増粘インクによるノズル１７の目詰まり防止やノズル１７のメニスカスを調整してインクジェットヘッド２から正常にインクを吐出させるフラッシング動作と、キャップ部材１２でインクジェットヘッド２をキャッピングした後に不図示の吸引ポンプを駆動させて各ノズル１７から粘性が高くなったインクや付着したゴミ等を強制吸引してメニスカスを調整し、インクジェットヘッド２から正常にインクを吐出させる吸引動作（ヘッドクリーニング）と、インクジェットヘッド２のノズル形成面２１Ａ（図２参照）をワイプ部材１３で払拭（ワイピング）することでノズル１７近傍に付着したインクや増粘したインク等を除去したり、ノズル１７のメニスカスを破壊してメニスカスを再調整させるパージ処理を行ったりするワイピング動作と、を実行する構成となっている。
【００９０】
本実施形態のプリンター１は、インクジェットヘッド２が被記録媒体６に対して０．５ｍ／ｓ以上の相対速度で移動しながら上記実施形態の顔料インクを吐出することで、サテライトの発生を抑制するものである。上記相対速度とは、シリアルプリンターのインクジェットヘッド２においては、キャリッジ４の主走査方向の移動速度に相当するものである。
【００９１】
なお、本実施形態のプリンター１は、本実施形態のシリアルプリンターの替わりに、ヘッドが固定式のラインプリンターであってもよく、このラインプリンターの場合、上記相対速度は、副走査方向の被記録媒体の移動速度に相当するものである。
【００９２】
本実施形態では、より高速でサテライトが発生しやすく、その影響が大きなプリンターであるほど、得られる効果は大きい。具体的には、上記相対速度が０．８ｍ／ｓ以上においては、サテライトの抑制効果がさらに大きなものとなる。
【００９３】
インクジェット方式によるインクの吐出速度は、インク滴の飛翔安定性を良好なものとするため、４〜１５ｍ／ｓとすることが好ましい。吐出速度が４ｍ／ｓ以上であると、被記録媒体上にインクを精度良く付着（着弾）させることが可能となる。また、吐出速度が１５ｍ／ｓ以下であると、サテライト滴の発生を効果的に抑制することができる。
【００９４】
ここで、サテライトによる影響について、上記相対速度及び上記尾引きの長さの観点から説明する。例えば、尾引きの長さが４００μｍであるインク滴を７ｍ／ｓで吐出する場合において、主滴とサテライト滴との着弾時間差は約６０μｓｅｃとなる。したがって、この場合に、上記相対速度が０．５ｍ／ｓであれば、主滴とサテライト滴との着弾位置のずれは、上記着弾時間差に基づき３０μｍとなる。また、同様にして、上記相対速度が１．０ｍ／ｓであれば、主滴とサテライト滴との着弾位置のずれは６０μｍとなる。
【００９５】
着弾位置のずれは、得られる記録物の画質に影響を及ぼし、さらに、記録物に対する人間の目の感度は、紙と目との距離が３０ｃｍである場合に６０μｍ以上のずれを感知しやすくなるとされていることから、主滴とサテライト滴との着弾位置のずれは好ましくは６０μｍ以内、より好ましくは３０μｍ以内である。
【００９６】
また、上記相対速度が一定である場合は、尾引きの長さが、主滴とサテライト滴との着弾位置のずれに影響を及ぼす。したがって、尾引きの長さが４００μｍ未満となるインクが好ましい。また、尾引きの長さが４００μｍ未満となるインクにすることで、サテライト滴の発生そのものを効果的に抑制することができる。
【００９７】
また、本実施形態のプリンター１は、上記のとおり不飽和脂肪酸を含むインクを用いるため、熱による不飽和脂肪酸の酸化の懸念が少ないピエゾ式のインクジェットヘッドを用いることが好ましい。なお、不飽和脂肪酸の添加量が少ない場合には、サーマル式のインクジェットヘッドを用いてもよいが、不飽和脂肪酸の酸化によるノズル詰りの懸念の少ないピエソ式であることがより好ましい。
【００９８】
このように、本実施形態によれば、サテライトの発生を抑制し、高速で高品質の画像を形成可能なインクジェット記録装置を提供することができる。
【００９９】
［インクジェット記録方法］
本発明の一実施形態に係るインクジェット記録方法は、上記実施形態のインクジェット記録装置の項で説明したように、被記録媒体６に対して０．５ｍ／ｓ以上の相対速度で移動するインクジェットヘッド２から上記実施形態の顔料インクを吐出する吐出工程を含む。
【０１００】
このように、本実施形態によれば、サテライトの発生を抑制し、高速で高品質の画像を形成可能なインクジェット記録方法を提供することができる。
【実施例】
【０１０１】
以下、本発明の実施形態を実施例によってさらに具体的に説明するが、本実施形態はこれらの実施例のみに限定されるものではない。
【０１０２】
［使用材料］
〔顔料分散体〕
・ＣＡＢ−Ｏ−ＪＥＴ３００（キャボット社製商品名、固形分１５％）
・ＢＯＮＪＥＴ  ＢＬＡＣＫ  ＣＷ−１（オリエント化学工業社製商品名、顔料分２０％）
〔界面活性剤〕
・オルフィンＥ１０１０（エアープロダクツ社製商品名、アセチレングリコール）
・サーフィノール１０４（日信化学工業社製商品名、アセチレングリコール）
・Ｔｒｉｔｏｎ  Ｘ−１００（Roche Applied Science社製商品名、Ｃ１４Ｈ２２Ｏ（Ｃ２Ｈ４Ｏ）ｎ、直鎖型の非イオン性の界面活性剤）
〔界面活性剤及びｐＨ調整剤〕
・オレイン酸（東京化成工業社（Tokyo Chemical Industry Co., Ltd.）製、モノ不飽和脂肪酸）
・リノール酸（東京化成工業社製、ジ不飽和脂肪酸）
・ステアリン酸（東京化成工業社製、飽和脂肪酸）
〔ｐＨ調整剤〕
・トリメチルグリシン（無水ベタイン、東京化成工業社製）
・ジメチルグリシン（Ｎ，Ｎ−ジメチルグリシン、東京化成工業社製）
・トリプロパノールアミン（トリイソプロパノールアミン、東京化成工業社製）
・トリエタノールアミン（東京化成工業社製）
・水酸化カリウム（関東化学社（KANTO CHEMICAL CO., INC）製）
・水酸化ナトリウム（関東化学社製）
〔浸透促進剤〕
・１，２−ヘキサンジオール
・トリエチレングリコールモノブチルエーテル（表１中「ＴＥＧｍＢＥ」と省略）
〔湿潤剤〕
・グリセリン
・トリメチロールプロパン
〔防腐剤・防黴剤〕
・エチレンジアミン四酢酸二ナトリウム（ＥＤＴＡ）
・プロキセルＸＬ−２
【０１０３】
［実施例１〜５、比較例１〜１０］
〔顔料インクの調製〕
表１に示す含有量で各成分を混合し、室温にて２時間攪拌した後、孔径５μｍのメンブランフィルターで濾過して、実施例１〜５及び比較例１〜１０の各水性顔料インクを調製した。
なお、表１中に示す含有量の単位は質量％であり、表１中、顔料分散液は固形分濃度（顔料の含有量相当）で表している。また、空欄部は無添加であることを表す。また、イオン交換水の「残量」とは、インク全量が１００質量％となるようにイオン交換水を加えたことを意味する。
【０１０４】
【表１】
0005636953.tif 000002
【０１０５】
表１に示した各顔料インクについて、以下の各評価を行った。
【０１０６】
［尾引き長さの評価］
インクジェットプリンターＰＸ−５００（セイコーエプソン社（Seiko Epson Corporation）製商品名）のカートリッジに顔料インクを充填し、インクジェット吐出観察装置Ｄｏｔ  Ｖｉｅｗ（トライテック（Tritek）社製商品名）により吐出されるインクの尾引きの長さを観察した。評価基準は以下のとおりである。結果を表２に示す。
○：尾引きの長さが４００μｍ未満であった。
×：尾引きの長さが４００μｍ以上であった。
【０１０７】
［インクの泡立ち評価］
直径２ｃｍ×高さ１０ｃｍの円筒状ガラス容器に顔料インク１０ｇを封入して５０回振り混ぜ、泡（気泡）と液体との界面から、泡の最高高さまでの高さ（Ｈ）を測定した。評価基準は以下のとおりである。結果を表２に示す。
○：５ｃｍ未満、
△：５ｃｍ以上８ｃｍ未満、
×：８ｃｍ以上。
【０１０８】
［サテライトの確認評価］
作製したインクを、プリンターＰＸ−Ｂ５００（セイコーエプソン社製商品名）のインクカートリッジに入れ、印字可能状態にした。上記プリンターＰＸ−Ｂ５００は、ヘッドのキャリッジ速度が１．１ｍ／ｓｅｃのプリンターであるため、キャリッジ速度を０．３〜１．１ｍ／ｓｅｃまで可変できるように改造した。そして、最大キャリッジ速度を０．３、０．５、０．７、及び０．９ｍ／ｓｅｃの４段階に設定して、各最大キャリッジ速度における印字速度とサテライトとの関係を調べた。サテライトは、セイコーエプソン社製スーパーファイン紙に印字した記録物を光学顕微鏡で観察し、サテライトが有るか否かを確認した。
サテライトは、全く無いのが理想であるが、吐出されるインク滴が空気中で分割するかどうかは確率の問題もあるため、どんな状況においてもサテライトが全く無いということは困難である。したがって、サテライトが発生したとしても記録物上でサテライトが観察されなければよい。すなわち、記録物の主滴とサテライトとの間隔が６０μｍ未満であればよい。さらに、記録物に対する人間の目の感度は、紙と目の距離が３０ｃｍである場合に６０μｍ以上のズレを感知しやすくなるとされている。
以上より、本明細書において、サテライトの有無はより実用的に以下のように判断するものとし、評価基準も同様とした。結果を表２に示す。
◎：サテライトが全く無かった。具体的には、記録物の主滴とサテライトとの間隔が０μｍであった。
○：サテライトが無かった（抑制効果が有った。）。具体的には、記録物の主滴とサテライトとの間隔が６０μｍ未満であった。
×：サテライトが有った。具体的には、記録物の主滴とサテライトとの間隔が６０μｍ以上であった。
【０１０９】
［インクの長期安定性評価］
上記サテライトの確認評価においてキャリッジ速度０．９ｍ／ｓｅｃで印字した記録物をプリンターＰＸ−Ｂ５００（セイコーエプソン社製商品名）のインクカートリッジに入れ、１ヶ月、６ヶ月、及び１年放置した後の、サテライトの変化をそれぞれ観察した。なお、評価基準は、上記サテライトの確認評価のものと同様である。結果を表２に示す。
【０１１０】
【表２】
0005636953.tif 000003
【０１１１】
表２より、アセチレングリコールと不飽和脂肪酸を添加したインクは、実施例１〜５、比較例５〜１０のように、サテライトの発生が抑制されることが分かった。また、不飽和脂肪酸、アミノ酸、アルカリ金属水酸化物、及びアミンの４種類を含む場合、実施例１〜５のようにサテライトの発生を長期に亘り安定して抑制できることも分かった。
【符号の説明】
【０１１２】
１…プリンター、２…インクジェットヘッド、３…インクカートリッジ、４…キャリッジ、５…プラテン、６…被記録媒体、７…キャリッジ移動機構、８…媒体送り機構、９…ガイドロッド、１０…リニアエンコーダ、１１…メンテナンスユニット、１２…キャップ部材、１３…ワイプ部材、１６…ノズル列、１６（Ｂｋ）…ノズル列（ブラック）、１６（Ｍ）…ノズル列（マゼンタ）、１６（Ｃ）…ノズル列（シアン）、１６（Ｙ）…ノズル列（イエロー）、１７…ノズル、１８…ヘッド本体、１９…振動板、２０…流路基板、２１…ノズル基板、２１Ａ…ノズル形成面、２２…流路形成ユニット、２３…収容空間、２４…駆動ユニット、２５…圧電素子、２６…固定部材、２７…ケーブル、２８…内部流路、２９…共通インク室、３０…インク供給口、３１…圧力室、３２…島部、３３…コンプライアンス部、ＣＯＮＴ…制御装置、Ｙ…イエロー、Ｍ…マゼンタ、Ｃ…シアン、Ｂｋ…ブラック。
【図１】
0005636953.tif 000004
【図２】
0005636953.tif 000005
【図３】
0005636953.tif 000006